(57)【要約】【課題】製品検査やメンテナンスが容易な表示装置及び表示装置の製造方法を提供する。【解決手段】バックキャビネット２ｂに、ボタン部４を取り付け、回路基板嵌合スリット３０に電源回路基板５ａを嵌合させる。更に電源回路基板５ａを第一の回路基板係止爪３１によって、メイン回路基板５ｂを第二の回路基板係止爪３２によって係止固定する。スピーカーホルダー３４に一体に組付けたスピーカー６をスピーカー係止爪３６によって係止固定し、その後表示パネル３を表示パネル起立保持部４５によって起立保持させ、表示パネル３と各回路基板等と結線処理を行い、表示パネル３を倒して、表示パネル載置部４４に載置し、フロントキャビネット２ａを取り付けて脚部９を脚部取付部５１に取り付ける。【選択図】図１７
2009163193.tif 000002
【特許請求の範囲】
【請求項１】
開口部を有するフロントキャビネットと開口部を有するバックキャビネットの、夫々の開口部を組みつけて成る筐体の内部に、内部構成部品と表示パネルとを備えた表示装置において、前記バックキャビネットには内部構成部品を取り付ける取付部と、表示パネルを載置する載置部とを形成したことを特徴とする表示装置。
【請求項２】
前記内部構成部品は、操作用ボタン、回路基板であることを特徴とする請求項１記載の表示装置。
【請求項３】
前記内部構成部品は、操作用ボタン、回路基板、音声出力用のスピーカーであることを特徴とする請求項１記載の表示装置。
【請求項４】
前記内部構成部品に記録再生装置を加えたことを特徴とする請求項２、又は請求項３記載の表示装置。
【請求項５】
前記表示パネルの背面を金属板で形成し、前記回路基板には板バネ部を有するアース部材が取り付けられ、前記表示パネルが載置部に載置された状態において、前記アース部材の板バネ部が前記表示パネルの背面と接触することを特徴とする請求項２乃至４の何れか１項記載の表示装置。
【請求項６】
前記回路基板においてノイズの発生する箇所には、シールド部材を取り付け、前記回路基板によるノイズの影響を抑制することを特徴とする請求項２乃至５の何れか１項記載の表示装置。
【請求項７】
開口部を有するフロントキャビネットと開口部を有するバックキャビネットの、それぞれの開口部を組みつけて成る筐体の内部に、操作用ボタン、回路基板、スピーカー、表示パネルを備える表示装置であって、前記バックキャビネットの取付部に前記操作用ボタン、前記回路基板及び前記スピーカーを開口部側から取り付ける工程の後、回路基板にはアース部材及びシールド部材を取り付け、更に、前記表示パネルと前記回路基板との結線を行う工程を経て、前記バックキャビネットの載置部に前記表示パネルを載置した後、前記フロントキャビネットの開口部と前記バックキャビネットの開口部を組み上げて固定することを特徴とする表示装置。
【請求項８】
開口部を有するフロントキャビネットと開口部を有するバックキャビネットの、それぞれの開口部を組みつけて成る筐体の内部に、操作用ボタン、回路基板、スピーカー、記録再生装置、及び表示パネルを備える表示装置であって、前記バックキャビネットの取付部に前記操作用ボタン、前記回路基板、前記スピーカー、及び前記記録再生装置を開口部側から取り付ける工程の後、回路基板にはアース部材及びシールド部材を取り付け、更に、前記表示パネルと前記回路基板との結線を行う工程を経て、前記表示パネルを前記バックキャビネットに取り付けた後、前記フロントキャビネットの開口部と前記バックキャビネットの開口部を組み上げて固定する、ことを特徴とする表示装置。
【発明の詳細な説明】
【技術分野】
【０００１】
本発明は、製造及びメンテナンス性の高い表示装置及び表示装置の製造方法に関する。
【背景技術】
【０００２】
近年の表示装置は薄型表示装置が圧倒的にシェアを占めており、その普及率も年々上昇している。薄型表示装置は、従前の表示装置と比べて非常に薄いため、多数の電子部品が集約されており、回路基板や電子部品から生じるノイズが他の回路基板に影響を与えないように、シールドを厳密に行う必要がある。
【０００３】
例えば、特許文献１では、電子部品が密集するパチンコ台に用いる液晶表示パネルにおいて、液晶表示パネルの発生するノイズが周囲の電子機器に影響を与えないよう、液晶表示パネルと入出力回路やその他の回路基板を、後側シールド部材に収納し、そこに前側シールド部材及び前枠を取り付け、更に後枠を取り付ける液晶表示装置の構成を開示している。
【０００４】
また、特許文献２では、放熱性や電磁波遮蔽性のよいディスプレイハウジングとしてマグネシウムアロイ／アルミアロイを主たる材料として用いる表示装置を開示している。
【０００５】
【特許文献１】特開平６−２５２５６７号公報
【特許文献２】実用新案登録第３１２７０４９号公報
【発明の開示】
【発明が解決しようとする課題】
【０００６】
しかしながら、特許文献１の方法は、周囲に電子部品が密集するような小さな表示装置に適用するに容易ではあるが、一般家庭等で用いられるテレビジョン受像機やパーソナルコンピュータのモニタなどの比較的大きな表示装置に適用するには、シールド部材が大きくなり、製造コストの高騰、重量の増加を避けることが困難である。また特許文献２の方法も同様に、シールド部材の大形化による製造コストの高騰、重量の増加が発生してしまう。
【０００７】
また、特許文献１の構造によると、表示パネルと種々の回路基板を前枠及び後側シールド部材に収納し、その後、後枠を取り付けるため、製品の性能検査やメンテナンスの際、回路基板等のチェックを行う際など、前枠、後枠、更に後側シールド部材を取り外さなくてはならず、作業が煩雑となってしまっていた。
【０００８】
本発明は上記課題を鑑みてなされたものであり、製品検査やメンテナンスが容易であり、シールド部材をノイズ発生箇所に適宜適用することが可能な表示装置及び表示装置の製造方法を提供することを目的とする。
【課題を解決するための手段】
【０００９】
請求項１に係る表示装置は、開口部を有するフロントキャビネットと開口部を有するバックキャビネットの、夫々の開口部を組みつけて成る筐体の内部に、内部構成部品と表示パネルとを備えた表示装置において、前記バックキャビネットには内部構成部品を取り付ける取付部と、表示パネルを載置する載置部とを形成したことを特徴とする。
【００１０】
請求項２に係る表示装置は、請求項１記載の表示装置において、前記内部構成部品は、操作用ボタン、回路基板であることを特徴とする。
【００１１】
請求項３に係る表示装置は、請求項１記載の表示装置において、前記内部構成部品は、操作用ボタン、回路基板、音声出力用のスピーカーであることを特徴とする。
【００１２】
請求項４に係る表示装置は、請求項２又３記載の表示装置において、前記内部構成部品に記録再生装置を加えたことを特徴とする。
【００１３】
上記請求項１から４における表示装置の構成によれば、バックキャビネットに、内部構成部品たる主たる電子部品を取り付け固定し、更に表示パネルを載置するため、バックキャビネットの開口部側から全ての部品の取り付け等の製造作業及びメンテナンス作業が可能となる。
【００１４】
請求項５に係る表示装置は、請求項２乃至４の何れか１項記載の表示装置において、前記表示パネルの背面を金属板で形成し、前記回路基板には板バネ部を有するアース部材が取り付けられ、前記表示パネルが載置部に載置された状態において、前記アース部材の板バネ部が前記表示パネルの背面と接触することを特徴とする。
【００１５】
上記請求項５における表示装置の構成によれば、表示パネルをバックキャビネットに載置することで、表示パネル背面の金属板とアース部材が当接してアースを取ることができ、アース用に結線処理を行う必要がなくなる。
【００１６】
請求項６に係る表示装置は、請求項２乃至５の何れか１項記載の表示装置において、前記回路基板においてノイズの発生する箇所には、シールド部材を取り付け、前記回路基板によるノイズの影響を抑制することを特徴とする。
【００１７】
上記請求項６における表示装置の構成によれば、例えばノイズの生じる接続ケーブルに対して、当該接続ケーブルよりもやや幅広のシールド部材を用い、表示パネルをバックキャビネットに載置することで、シールド部材と表示パネル背面の金属板によって接続ケーブルを挟み込むことで効果的に接続ケーブルをシールドすることができる。
【００１８】
請求項７に係る表示装置は、開口部を有するフロントキャビネットと開口部を有するバックキャビネットの、それぞれの開口部を組みつけて成る筐体の内部に、操作用ボタン、回路基板、スピーカー、表示パネルを備える表示装置であって、前記バックキャビネットの取付部に前記操作用ボタン、前記回路基板及び前記スピーカーを開口部側から取り付ける工程の後、回路基板にはアース部材及びシールド部材を取り付け、更に、前記表示パネルと前記回路基板との結線を行う工程を経て、前記バックキャビネットの載置部に前記表示パネルを載置した後、前記フロントキャビネットの開口部と前記バックキャビネットの開口部を組み上げて固定することを特徴とする。
【００１９】
請求項８に係る表示装置は、開口部を有するフロントキャビネットと開口部を有するバックキャビネットの、それぞれの開口部を組みつけて成る筐体の内部に、操作用ボタン、回路基板、スピーカー、記録再生装置、及び表示パネルを備える表示装置であって、前記バックキャビネットの取付部に前記操作用ボタン、前記回路基板、前記スピーカー、及び前記記録再生装置を開口部側から取り付ける工程の後、回路基板にはアース部材及びシールド部材を取り付け、更に、前記表示パネルと前記回路基板との結線を行う工程を経て、前記表示パネルを前記バックキャビネットに取り付けた後、前記フロントキャビネットの開口部と前記バックキャビネットの開口部を組み上げて固定する、ことを特徴とする。
【００２０】
上記請求項７及び８の表示装置によれば、上記のような取り付け行程によって、主たる電子部品の多くをバックキャビネットに対して取り付けることができる。
【発明の効果】
【００２１】
以上のような本発明の構成によれば、例えば作業台等の平面にバックキャビネットを載置し、操作ボタン、回路基板、及びその他電子部品をバックキャビネットに取り付け、表示パネルを載置してフロントキャビネットによって表示パネルを挟持固定することで表示装置の製造を行うことができる。即ち、筐体を構成する２種のキャビネットの内、バックキャビネットに対してのみ、主たる部品の取り付けを行うことができるので、比較的大きな部材であるキャビネットの一方のみに注視し作業を行えばよいので、製造及びメンテナンスにおいて作業性に非常に優れた表示装置を提供することができる。
【発明を実施するための最良の形態】
【００２２】
以下、本発明を実施するための最良の形態としての実施例を図１〜図１４により以下に説明する。もちろん、本発明は、その発明の趣旨に反しない範囲で、実施例において説明した以外の構成のものに対しても容易に適用可能なことは説明を要するまでもない。
【００２３】
図１は本実施例における映像表示装置を示す斜視図、図２は映像表示装置のフロントキャビネットを取り外した状態を示す分解斜視図、図３はバックキャビネットから液晶パネルを取り外した状態を示す斜視図である。
【００２４】
図１〜図３等に示す表示装置の一例は、奥行き寸法の小さい薄型の液晶テレビジョン受像機などの表示装置１である。表示装置１の外観を形成する樹脂製の筐体２は、フロントキャビネット２ａとバックキャビネット２ｂとの２分割構成となっており、映像を表示する液晶パネルたる表示パネル３、ボタン部４、表示パネル３と略平行に配置される各種回路基板５ａ，５ｂ，５ｃ、スピーカー６等の内部構成部品は、フロントキャビネット２ａではなく全てバックキャビネット２ｂに収容されるものである。また、バックキャビネット２ｂの上面には貫通孔７が形成されており、この貫通孔７にボタン部４に形成されたボタン８が挿通され、バックキャビネット２ｂの上方外側に突出して配設される。また、フロントキャビネット２ａとバックキャビネット２ｂは、これら夫々に有する開口部を対向させた状態で組み付けて一体化するものであり、筐体２の内部は、その高さ寸法及び幅寸法に対して奥行き寸法が小さいものとなっている。なお、筐体２は脚部９によって起立してデスク等の平面に載置することができる。
【００２５】
バックキャビネット２ｂの内部の上方端部には表示パネル起立保持部４５が形成されている。表示パネル起立保持部４５には、表示パネル３を起立して載置させるための表示パネル起立載置部４５ａと、該表示パネル起立載置部４５ａに載置される表示パネル３を起立支持させるための表示パネル支持片４５ｂ、４５ｃが形成される。また、製品として組み上げる際に表示パネル３をバックキャビネット２ｂに載置して収納する際の、表示パネル３の位置決め手段として、表示パネル載置部４４がボスとして一体形成されており、これが表示パネル起立保持部４５の強度の向上を兼ねている。また、バックキャビネット２ｂには脚部９を取り付けるための脚部取付部５１が設けられている。
【００２６】
次に、ボタン部４、及びこのボタン部４をバックキャビネット２ｂに固定する際用いられる固定ユニット２０について説明する。図４はボタン部と固定ユニットとを一体化した操作部を示した斜視図、図５はボタン部を示す斜視図、図６は固定ユニットを示す斜視図、図７は表示装置の要部を示す拡大断面図である。
【００２７】
図４〜図７に示すように、ボタン部４は、前述したようにバックキャビネット２ｂに形成した貫通孔７から筐体２の上部外側にボタン８を突出させた状態で装着される。ボタン部４は、その全体が合成樹脂製となっており、平板状のフレーム部１１、支点部１２を支点として傾動されるヒンジ部１３、ヒンジ部１３の先端に設けられた前記ボタン８、ヒンジ部１３の支点部１２近傍に一体に設けられた操作突起１４、後述する電源回路基板５ａを挟持するガイド溝たる回路基板嵌合スリット１５等が一体に構成されており、図７に示すように、バックキャビネット２ｂにボタン部４を組み付けた状態では、ボタン８の先端部１６ａを指などにより押圧し手動操作することで、その反対側に位置する操作突起１４のスイッチ接触部１７が支点部１２を支点として傾動され、操作突起１４のスイッチ接触部１７が電源回路基板５ａに実装されたスイッチ１８を押圧し、スイッチ１８のオン／オフ切り替え操作が連動して行われる。
【００２８】
また、ボタン部４には、固定ユニット２０と一体的に組み付けるための凹部２１が側縁部に段差状に複数形成されており、固定ユニット２０に形成された後述するボタン部固定用係止爪２７が前記凹部２１に係合されることで、ボタン部４と固定ユニット２０は相互に位置決めされ且つ一体化され、ボタン部４と固定ユニット２０からなる操作部１０が一体形成される。
【００２９】
次に、固定ユニット２０の構造について説明する。この固定ユニット２０は、ボタン部４をバックキャビネット２ｂに固定するためのものであり、前述したボタン部４と同様に全体が合成樹脂製となっており、ボタン部４のフレーム部１１と当接されるハウジング２５、ボタン部４の操作突起１４の数に対応して形成されたボタン収納孔２６、前記ボタン部４の段差状の凹部２１に係合されるＬ字型のボタン部固定用係止爪２７、ハウジング２５に一体に形成されたＬ字型のキャビネット固定用係止爪２７ａ、このキャビネット固定用係止爪２７ａの側部に一体に形成された鍵型の係止ストッパー２８、電源回路基板５ａを挟持するガイド溝たる回路基板嵌合スリット３０等が一体に構成される。
【００３０】
次に、バックキャビネット２ｂ内に組み付けられる各種回路基板５ａ〜５ｃについて図３に基づいて説明する。前述した電源回路基板５ａは、表示装置１の電源系統の回路を構成するものであり、電源回路基板５ａを、ボタン部４及び固定ユニット２０に形成した回路基板嵌合スリット１５，３０に挟持させ、且つバックキャビネット２ｂに形成した複数の第１の回路基板係止爪３１を電源回路基板５ａの縁部に係止することで、電源回路基板５ａはバックキャビネット２ｂに強固に固定される（図７に示した状態）。なお、ガイド溝たる前記回路基板嵌合スリット１５，３０は操作部１０の後方に延出して形成されている。また、電源回路基板５ａには、表示パネル３に電源を供給するための接続ケーブル４２が２本１対で延設されており、対となる接続ケーブル４２の先端には表示パネル３が有するコネクタ４９と接続するためのコネクタ４２ａが設けられている。
【００３１】
メイン回路基板５ｂは、表示装置１全体の制御処理を行うための回路を構成しており、バックキャビネット２ｂに形成した保持手段（係止手段）たる第２の回路基板係止爪３２がメイン回路基板５ｂの周縁縁部に係止され、バックキャビネット２ｂにメイン回路基板５ｂが強固に固定される。メイン回路基板５ｂには、表示パネル３に映像信号を伝送するための映像信号伝送ケーブル５０が延設され、該映像信号伝送ケーブル５０は先端に表示パネル３が有するコネクタ５４と接続するためのコネクタ５０ａを備えている。また、メイン回路基板５ｂには、映像信号伝送ケーブル５０が生じるノイズを遮蔽吸収するためのシールド部材４１が取り付けられる。さらに、メイン回路基板５ｂをアースするためのアース部材４３が前記メイン回路基板５ｂの縁部近傍に取り付けられる。
【００３２】
また、受光部を配設した受光基板５ｃは、表示装置１を遠隔操作する図示しないリモコンから送信される信号に基づき、表示装置１のチャンネルの切り替えなど動作を制御処理する回路を構成したものであり、バックキャビネット２ｂに固定されたスピーカーホルダー（ホルダー）３４に形成される係止手段たる受光基板用係止爪３３に、受光基板５ｃの周縁縁部が係止され固定される。なお、本発明の要旨ではないので詳細を省略したが、各回路基板５ａ，５ｂ，５ｃには、制御手段たるＣＰＵなど種々の電子部品が実装されていることは言うまでもない。
【００３３】
次に、表示パネル３に表示される映像に対応して音声を出力する一対のスピーカー６について、図８、図９により説明する。なお、図８はスピーカーとこのスピーカーが取り付けられるスピーカーホルダーを示す分解斜視図、図９はスピーカーをスピーカーホルダーに取り付けた状態を示す斜視図である。同図に示すスピーカー６は、スピーカーホルダー３４を介してバックキャビネット２ｂに保持（固定）されるものであり、スピーカーホルダー３４には、各スピーカー６の左右を固定するスピーカー用係止爪３６が各一対ずつ設けられており、つまり、スピーカーホルダー３４には、前述した受光基板５ｃを固定するための受光基板用係止爪３３の他、スピーカー６を係止するための手段を備える。
【００３４】
また、スピーカーホルダー３４には、バックキャビネット２ｂに一体に形成された円筒状のボス部３７に嵌合される円筒孔３８が形成されており、ボス部３７に円筒孔３８を挿通することで、スピーカーホルダー３４はバックキャビネット２ｂに保持される。なお、ボス部３７は、図２０に示すように、バックキャビネット２ｂの内面側よりバックキャビネット２ｂの開口部側へと延出して形成されており、また、ボス部３７の近傍であってバックキャビネット２ｂの開口部の周縁部には係合孔３５を形成し、この係合孔３５にスピーカーホルダー３４に形成された爪部３９を係合すると共に、スピーカーホルダー３４に形成した円筒孔３８にバックキャビネット２ｂのボス部３７を嵌合させ、バックキャビネット２ｂに対しスピーカーホルダー３４を固定する。
【００３５】
次に、表示装置１を動作させた際に発生するノイズの影響を抑制するためのシールド部材４１について、図１０に基づいて説明する。このシールド部材４１は、メイン回路基板５ｂと表示パネル３を接続し、後述の映像信号の伝送を行う映像信号伝送ケーブル５０から発せられるノイズを遮蔽・抑制するものである。シールド部材４１には、同シールド部材４１を固定するための取付孔４１ａが形成される。また、ノイズが発生する電子部品やケーブルを他の回路から遮蔽するための遮蔽部４１ｂが形成される。シールド部材４１の取付位置に対して遮蔽部４１ｂを上方に配置させ、後述の表示パネル３の背面を覆う金属板４８と映像信号伝送ケーブル５０を接触させるよう位置決めするために、傾斜部４１ｃが形成される。
【００３６】
次に、表示装置１を動作させた際に、各種回路基板に搭載された電子部品のアースを取るために取り付けられるアース部材について、図１１に基づいて説明する。４３はアース部材である。４３ａは、各種回路基板、本実施例においてはメイン回路基板５ｂのアースを取るための電気的な接続部を兼用する取付孔である。これによりメイン回路基板５ｂにアース部材４３を固定する。４３ｂは板バネ部である。図１１のとおり、上方に傾斜しており、これにより、バックキャビネット２ｂに載置された状態における表示パネル３の背面を覆う金属板４８との接触を行い、アースを取ることが可能である。
【００３７】
次に、表示装置１を載置し、支持するための脚部９について、図１２に基づいて説明する。９は脚部である。脚部９には凸状の取付部９ａが形成される。これは後述するバックキャビネット２ｂに形成される脚部取付部５１に形成される脚部取付孔５２に挿入されるものである。取付部９ａにはビス孔９ｂが形成される。同じく後述するバックキャビネット２ｂが有する脚部取付用ビス孔５３を介して図示しないビスがビス孔９ｂに挿通されて脚部９を固定することができる。
【００３８】
次に、表示装置１における主要部品たる、ボタン部４、回路基板５ａ〜５ｃ、及びスピーカー６を、バックキャビネット２ｂに組み付ける手順について図１３〜図２２に基づき説明する。なお、図１３はバックキャビネットのみを示す斜視図であり、図１４は固定ユニットによりボタン部をバックキャビネットに組み付けた状態を示す斜視図、図１５は回路基板をバックキャビネットに組み付けた状態を示す斜視図、図１６はスピーカーをバックキャビネットに組み付けた状態を示す斜視図、図１７は表示パネルを起立保持させた状態を示す斜視図、図１８は、表示パネル３を起立保持させた状態における表示パネル起立保持部の状態を示す拡大断面図、図１９は表示パネルを表示パネル載置部に載置し、バックキャビネットとフロントキャビネットを組み上げた状態を示す表示装置の断面図、図２０は、バックキャビネットの脚部取付部の形状の詳細を示す部分拡大斜視図、図２１は、脚部を筐体に取り付ける工程を示す斜視図である。
【００３９】
先ず、図５及び図６に示すボタン部４と固定ユニット２０とを一体化するため、固定ユニット２０のボタン収納孔２６にボタン部４の操作突起１４を挿通し、ボタン部４のフレーム部１１と固定ユニット２０のハウジング２５とを当接させた状態で、ボタン部４の凹部２１に対し、固定ユニット２０のボタン部固定用係止爪２７を嵌合し、図４に示すように、ボタン部４と固定ユニット２０とを一体化する。
【００４０】
続いて、図１３に示したバックキャビネット２ｂに対しボタン部４を固定するため、固定ユニット２０の係止手段たるキャビネット固定用係止爪２７ａをバックキャビネット２ｂに形成した操作部係止爪４０に嵌着すると共に、操作部係止爪４０を形成するバックキャビネット２ｂの一端にキャビネット固定用係止爪２７ａの側部に形成した係止ストッパー２８を係止し、固定ユニット２０を用いてバックキャビネット２ｂにボタン部４を固定する（図１４の状態）。
【００４１】
次に、図１５に示すように、ボタン部４及び固定ユニット２０に有するガイド溝たる回路基板嵌合スリット１５，３０に電源回路基板５ａの一方端部を挟持し、さらに、この電源回路基板５ａの前記一方端部以外の他方端部をバックキャビネット２ｂに形成した第１の回路基板係止爪３１で係止し、バックキャビネット２ｂ内で電源回路基板５ａをボタン部４に固定し、続いて、バックキャビネット２ｂに形成した第２の回路基板係止爪３２にメイン回路基板５ｂの縁部を係止して、メイン回路基板５ｂもバックキャビネット２ｂ内に固定する。
【００４２】
上述した回路基板たる電源回路基板５ａ及びメイン回路基板５ｂのバックキャビネット２ｂへの取り付け、固定が完了した後、電源回路基板５ａから延設される接続ケーブル４２の仮止めを行う。４６はバックキャビネット２ｂに形成されている線材保持用リブであり、接続ケーブル４２の２本のケーブルが寄り合うことの無いように形成されている。４７ａは、接続ケーブル４２を線材保持用リブ４６の両脇に配置させた際、接続ケーブル４２を係止するための、バックキャビネット２ｂに形成される切り欠きたる仮保持部である。表示パネル３を取り付ける前に、接続ケーブル４２を仮保持部４７ａに一時的にクランプさせて固定する。なお、接続ケーブル４２がフラットケーブルのような平板状のケーブルであって、切り欠き状の仮保持部４７ａではクランプできない場合は、仮保持部を図２２に示すような貫通孔４７ｂとし、接続ケーブル４２を挿通させて仮保持を行ってもよい。
【００４３】
次に、スピーカーホルダー３４の受光基板用係止爪３３に受光基板５ｃの縁部を係止して固定すると共にスピーカー用係止爪３６にスピーカー６を係止して固定し、受光基板５ｃとスピーカー６とを固定したスピーカーホルダー３４に形成された円筒孔３８を、図２０に示すバックキャビネット２ｂに形成したボス部３７に挿通し嵌合させ、受光基板５ｃ及びスピーカー６の固定されたスピーカーホルダー３４をバックキャビネット２ｂに固定する（図１６に示した状態）。
【００４４】
次に、図３に示すように、シールド部材４１をバックキャビネット２ｂの所定位置に固定し、アース部材４３をメイン回路基板５ｂの所定位置に固定する。続いて表示パネル３の取り付けを行う。その際、図１７、図１８に示すように、表示パネル起立保持部４５に表示パネル３を載置し、表示パネル支持片４５ｂ、４５ｃによって挟持させることにより、表示パネル３を起立支持させて、表示パネル３が有するコネクタ５４に、映像信号伝送ケーブル５０のコネクタ５０ａを接続させる等の結線処理を行った後、表示パネル起立保持部４５から表示パネル３を外し、シールド部材４１、アース部材４３、電源回路基板５ａ、及び、メイン回路基板５ｂに対向する位置となるように、表示パネル載置部４４に合わせて表示パネル３をバックキャビネット２ｂに載置する（図２に示した状態）。この状態において、映像信号伝送ケーブル５０は、シールド部材４１と表示パネル３の裏面を覆う金属板４８によって覆われるため、映像信号伝送ケーブル５０から生じるノイズを効果的に遮蔽することができる。またアース部材４３が同じく金属板４８と当接するため、表示パネル３を所定位置に取り付けるだけで、メイン回路基板５ｂのアースを行うことができる。表示パネル載置部４４に合わせて表示パネル３をバックキャビネット２ｂに載置した状態で、仮保持部４７ａでクランプさせた接続ケーブル４２を外し、前記表示パネル３のコネクタ４９に前記接続ケーブル４２のコネクタ４２ａを接続する。全ての電子部品や回路基板の取り付け・固定を終えたら、バックキャビネット２ｂにフロントキャビネット２ａを一体化することで、表示装置１の組み立て工程を行なう。その際、図１９に示すように、フロントキャビネット２ａ及びバックキャビネット２ｂによって挟持固定されるため、表示パネル３はバックキャビネット２ｂにビス等で固定する必要はない。
【００４５】
次に脚部９を筐体２に取り付ける工程について、図２０及び図２１に基づいて説明する。脚部９が備える取付部９ａを、バックキャビネット２ｂに形成される脚部取付部５１に穿設される脚部取付孔５２に挿通させる。取付部９ａに穿設されたビス孔９ｂに、バックキャビネット２ｂに穿設される脚部取付用ビス孔５３を介してビスを挿通させることで、バックキャビネット２ｂと脚部９を固定することで、図１に示す表示装置１が完成する。
【００４６】
本実施例における表示装置１によれば、高さ寸法及び幅寸法に対して奥行き寸法が小さい筐体の内部に表示パネルを備え、筐体２には複数の貫通孔７より装置外部へと一部位が突出する操作部１０を備え、この操作部１０には矩形の回路基板（電源回路基板５ａ）の一方端部（矩形の電源回路基板５ａの四辺の内の一辺側）を保持する第１の保持手段（ガイド溝たる回路基板嵌合スリット１５，３０）を設けると共に、回路基板（電源回路基板５ａ）の他方端部（前記一辺側を除く三辺側）を少なくとも保持する第２の保持手段（第１の回路基板係止爪３１）を筐体２に形成し、第１の保持手段（ガイド溝たる回路基板嵌合スリット１５，３０）と第２の保持手段（第１の回路基板係止爪３１）とによって保持される回路基板（電源回路基板５ａ）は、表示パネル３と略平行に保持し、操作部１０は、装置外部に突出する押圧部を一体に形成したボタン部４と、このボタン部４を筐体２のバックキャビネット２ｂに組みつけた係止手段（キャビネット固定用係止爪２７ａ，係止ストッパー２８）が形成された固定ユニット２０とにより構成され、操作部１０のガイド溝としてのボタン部４の回路基板嵌合スリット１５と、固定ユニット２０の回路基板嵌合スリット３０とにより電源回路基板５ａを挟持すると共に、筐体２に形成した第２の保持手段としての第１の回路基板係止爪３１により電源回路基板５ａを保持する。これにより、操作部１０の第１の保持手段（ガイド溝たる回路基板嵌合スリット１５，３０）と筐体２のバックキャビネット２ｂに設けた第２の保持手段（第１の回路基板係止爪３１）とにより、スイッチ１８等を配設した回路基板（電源回路基板５ａ）を所定位置に保持でき、従来のようにビスを使用することなく回路基板（電源回路基板５ａ）を固定することができる。よって、表示装置１の主要部品である内部構成部品をバックキャビネット２ｂに組み付けるに際しては、ビスによる固定ではない保持手段及び係止手段（保持手段）により、スピーカー６、受光基板５ｃ、電源回路基板５ａ等の内部構成部品をビスを使用することなく固定することができるので、煩雑なビス止め作業を解消できる。また、金属製のビスを使用しなくて済むので、金属材料の使用に伴うコストを安価に抑えることができる。さらに、ビスのねじ込み作業が不要となるから、内部構成部品の表示装置１への組み立て作業時間を短縮化でき、製造効率を向上することができる。
【００４７】
さらに、前記第２の保持手段は、バックキャビネットの内面側より開口部へと延出形成した単数若しくは複数の第１の回路基板係止爪３１であり、この第１の回路基板係止爪３１で回路基板たる電源回路基板５ａの他方端部を係止したものである。これにより、操作部１０の第１の保持手段としてのガイド溝（回路基板嵌合スリット１５，３０）で電源回路基板５ａを挟持した状態で、筐体２に形成された第２の保持手段としての第１の回路基板係止爪３１により電源回路基板５ａを係止して保持することができるので、ビスを使用することなく保持手段だけで電源回路基板５ａを簡単に固定することができる。
【００４８】
さらに、内部構成部品としてのスピーカー６や受光基板５ｃを、ビスを用いない第３の保持手段（スピーカーホルダー３４）により保持するので、ビスを使用することなくスピーカー６と受光基板５ｃをバックキャビネット内の所定位置に固定することができる。
【００４９】
さらに、前記第３の保持手段は、内部構成部品としてのスピーカー６と受光基板５ｃを係止する係止手段（受光基板用係止爪３３、スピーカー用係止爪３６）を備えたスピーカーホルダー３４であり、バックキャビネット２ｂには、このバックキャビネット２ｂの内面側より開口部側へと延出するボス部３７を形成し、且つ、ボス部３７の近傍であってバックキャビネット２ｂの前記開口部の周縁部に係合孔３５を形成し、前記スピーカーホルダー３４にはボス部３７が嵌る円筒孔３８と、係合孔３５に係合する爪部３９を形成している。これにより、第３の保持手段としてのスピーカーホルダー３４でスピーカー６や受光基板５ｃ等の内部構成部品を係止し、スピーカーホルダー３４の円筒孔３８をバックキャビネット２ｂのボス部３７に嵌合すると共に、スピーカーホルダー３４に形成した爪部３９をバックキャビネット２ｂの係合孔３５に係合させ、内部構成部品たるスピーカー６及び受光基板５ｃを、ビスを使用することなくスピーカーホルダー３４を介してバックキャビネット２ｂに保持（固定）することができる。
【００５０】
また、換言すれば、表示装置１は、この表示装置１の主要部品としての内部構成部品、すなわち、ボタン部４、スピーカー６、回路基板（電源回路基板５ａ、メイン回路基板５ｂ、受光基板５ｃ）を全て、金属製のビスを用いずに保持手段（固定手段）やこの保持手段等に構成される係止手段のみで固定できるようにしたものであり、ボタン部４と別体の保持手段たる固定ユニット２０に備えた、係止手段としてのキャビネット固定用係止爪２７ａ、係止ストッパー２８等を用い、バックキャビネット２ｂにボタン部４を固定すると共に、前記固定ユニット２０の回路基板嵌合スリット３０のみ、若しくは固定ユニット２０とボタン部４に形成した回路基板嵌合スリット１５，３０に対し、スイッチ１８を配設した電源回路基板５ａの縁部を挟持させ、電源回路基板５ａとボタン部４とをビスを用いずに筐体２内（詳しくは、バックキャビネット２ｂ内）で固定したものであり、さらには、ボタン部４をバックキャビネット２ｂに固定することを目的とした固定ユニット２０（詳しくは固定ユニット２０の回路基板嵌合スリット３０）、若しくはそれに加え表示装置１を手動操作することを目的としたボタン部４を、電源回路基板５ａを保持（固定）するための手段としても兼用したものである。これにより、電源回路基板５ａ及びボタン部４の固定を、従来のようにビスを用いずに係止するだけで簡単に行なうことができ、いちいち１つずつビス止め作業をするといった煩雑な作業を解消できる。しかも金属製のビスを用いずに済むから、金属材料の使用に伴うコストを安価に抑えることも可能となる。
【００５１】
また、固定ユニット２０とボタン部４とに形成した回路基板嵌合スリット１５，３０に電源回路基板５ａの縁部を挟持すると共に、バックキャビネット２ｂに一体に形成した保持手段（係止手段）たる第１の回路基板係止爪３１に電源回路基板５ａの縁部を係止し、電源回路基板５ａを筐体２内に固定した際、電源回路基板５ａと固定ユニット２０とボタン部４の三者は、互いに一体に結合されるので、相互に位置ずれなどしないよう位置決めされた状態で保持することができる。
【００５２】
また、表示装置１のバックキャビネット２ｂ側に装着した表示パネル３に表示される映像に対応して音声出力することができるスピーカー６を、筐体２内に備えたスピーカーホルダー３４の係止手段たるスピーカー用係止爪３６にビスを用いずに係止しただけで固定できるので、スピーカー６の取り付けをワンタッチ感覚で簡単に行なうことができる。よって、組み立て作業効率を向上することができ、ひいては、表示装置１の生産効率の向上を図ることができる。
【００５３】
また、表示パネル３を起立保持することが可能な表示パネル起立保持部４５によって、バックキャビネット２ｂに取り付けられた電源回路基板５ａ、メイン回路基板５ｂ及びスピーカー６等と、表示パネル３との結線処理を行う際、例えば表示パネル３のコネクタ５４に対して映像信号伝送ケーブル５０のコネクタ５０ａ等を接続させる作業が、従来の液晶表示装置の製造方法のようなフロントキャビネットに表示パネル３を取り付ける方法と比較して格段に容易となる。また、表示パネル３を起立させるための特別な機材を必要とせず、バックキャビネット２ｂを射出形成する際に一体的に形成することができるので低コストで実現することができる。更に表示装置１の性能検査やメンテナンスの際、各配線を接続したまま表示パネル３を起立保持させることができるため、性能検査・メンテナンス等においても作業性に優れる。また、バックキャビネット２ｂに接続ケーブル４２の仮保持部４７ａを形成したので、表示パネル３の取り付けの際に、接続ケーブル４２及びコネクタ４２ａがバックキャビネット２ｂ及び表示パネル３の間に挟まったり、電源回路基板５ａとバックキャビネット２ｂとの間隙に滑落したりすることを防止し、少ないコストによって作業性を著しく向上させることができる。
【００５４】
以上のような表示装置１の製造方法によれば、表示パネル３、ボタン部４、スピーカー６、回路基板５ａ、５ｂ、５ｃ、といった主たる電子部品をバックキャビネット２ｂに収納することができる。これにより、表示装置１の製造の際、バックキャビネット２ｂを作業台等の平面に載置し、これに各部品を取り付け、表示パネル３を起立保持させて結線作業を行えるため、作業効率が著しく向上し、更に、作業中、表示パネル３の表示面を下方に向けることがないので、表示パネル３の表示面を傷つける畏れが無くなる。また表示装置１の性能検査や故障等によるメンテナンス作業を行う際も、主たる電子部品がバックキャビネット２ｂに収納されているため、フロントキャビネット２ａを外しても表示装置としての機能が失われることがなく、各電子部品の性能検査・故障状況の把握が容易となり、作業性に優れる。また、シールド部材４１の形状が、ノイズ発生の畏れがある部品の形状に合わせて形成することができるため、シールド部材４１を構成する金属板の大きさを必要且つ十分な大きさとすることができ、製造コストの抑制を図ることができる。
【００５５】
以上、本発明の実施例について詳述したが、本発明は前記実施例に限定されるものではなく、本発明の要旨の範囲内で種々の変形実施が可能である。例えば各係止爪は、樹脂の剛性や固定する部品の大きさ等に応じて適宜数量・形状を変更しても何ら問題は無い。また、表示パネル３を液晶パネルとしたが、例えば、電圧をかけることで発光する物質を利用した有機ＥＬディスプレイや、高圧の希ガスに高い電圧をかけて発光させるプラズマディスプレイ等、液晶パネル以外のパネルを用いた表示装置であっても何ら問題ない。また、スピーカーを持たない表示装置、例えばパーソナルコンピュータ用のモニタ等の製造の際は、上記実施例に示した手順からスピーカーに関連する部分を省くことで本発明の製造方法を容易に適用可能である。また、ＤＶＤ記録再生装置一体型の薄型テレビジョン受像機といった、記録再生装置を備えた表示装置においては、記録再生装置をバックキャビネット２ｂに取り付けることで、表示パネル３の起立保持の際のバックキャビネット２ｂへの荷重バランスはより優れたものとなる。
【図面の簡単な説明】
【００５６】
【図１】本発明の一実施例の、映像表示装置たる表示装置を示す斜視図である。
【図２】同上、表示装置のフロントキャビネットを取り外した状態を示す分解斜視図である。
【図３】同上、バックキャビネットから表示パネルを取り外した状態を示す斜視図である。
【図４】同上、ボタン部と固定ユニットとを一体化した操作部を示す斜視図である。
【図５】同上、ボタン部を示す斜視図である。
【図６】同上、固定ユニットを示す斜視図である。
【図７】同上、表示装置の要部を示す拡大断面図である。
【図８】同上、スピーカーとこのスピーカーが取り付けられるスピーカーホルダーを示す分解斜視図である。
【図９】同上、スピーカーをスピーカーホルダーに取り付けた状態を示す斜視図である。
【図１０】同上、シールド部材を示す斜視図である。
【図１１】同上、アース部材を示す斜視図である。
【図１２】同上、脚部を示す斜視図である。
【図１３】同上、バックキャビネットを示す斜視図である。
【図１４】同上、固定ユニットによりボタン部をバックキャビネットに組み付けた状態を示す斜視図である。
【図１５】同上、回路基板をバックキャビネットに組み付けた状態を示す斜視図である。
【図１６】同上、スピーカーをバックキャビネットに組み付けた状態を示す斜視図である。
【図１７】同上、表示パネルをバックキャビネットに起立保持させた状態を示す斜視図である。
【図１８】同上、表示パネル起立保持部を示す拡大断面図である
【図１９】同上、フロントキャビネットとバックキャビネットを組み上げた状態を示す断面図である。
【図２０】同上、バックキャビネットの脚部取付部周辺を示す拡大斜視図である。
【図２１】同上、筐体の脚部取付前の状態を示す分解斜視図である。
【図２２】同上、仮保持部の異なる形状の例を示す拡大斜視図である。
【符号の説明】
【００５７】
１    表示装置
２    筐体
２ａ  フロントキャビネット
２ｂ  バックキャビネット
３    表示パネル
４    ボタン部（操作用ボタン）
５ａ  電源回路基板（回路基板）
５ｂ  メイン回路基板（回路基板）
５ｃ  受光基板（回路基板）
６  スピーカー
４１  シールド部材
４３  アース部材
４８  金属板
【図１】
2009163193.tif 000003
【図２】
2009163193.tif 000004
【図３】
2009163193.tif 000005
【図４】
2009163193.tif 000006
【図５】
2009163193.tif 000007
【図６】
2009163193.tif 000008
【図７】
2009163193.tif 000009
【図８】
2009163193.tif 000010
【図９】
2009163193.tif 000011
【図１０】
2009163193.tif 000012
【図１１】
2009163193.tif 000013
【図１２】
2009163193.tif 000014
【図１３】
2009163193.tif 000015
【図１４】
2009163193.tif 000016
【図１５】
2009163193.tif 000017
【図１６】
2009163193.tif 000018
【図１７】
2009163193.tif 000019
【図１８】
2009163193.tif 000020
【図１９】
2009163193.tif 000021
【図２０】
2009163193.tif 000022
【図２１】
2009163193.tif 000023
【図２２】
2009163193.tif 000024